(57)【要約】【課題】  使用者が測定箇所および測定タイミングを知ることができる放射温度計を提供する。【解決手段】  ヘッド部１００Ａは測定対象物ＷまたはベルトコンベアＢＲから放射される赤外線を受光し、測定温度値を算出する。本体部１００Ｂには外部信号が入力される。外部信号のオン／オフ状態の切り替わりは、ベルトコンベアＢＲによる測定対象物Ｗの搬送に同期しており、ヘッド部１００Ａの直下に測定対象物Ｗが位置するタイミングでオン状態となり、ヘッド部１００Ａの直下に測定対象物Ｗが位置しないタイミングでオフ状態となる。本体部１００Ｂは、外部信号がオン状態になると、ヘッド部１００Ａにレーザダイオード６０，７０の点灯を指令する。本体部１００Ｂは、外部信号がオフ状態になると、ヘッド部１００Ａにレーザダイオード６０，７０の消灯を指令する。【選択図】        図４
2006226781.tif 000002
【特許請求の範囲】
【請求項１】
測定対象物の温度を測定する放射温度計であって、
前記測定対象物からの赤外線エネルギーを検出する赤外線検出手段と、
前記赤外線検出手段の出力信号に基づいて前記測定対象物の温度を算出する演算手段と、
前記測定対象物へ光を出射する光源と、
前記測定対象物の測定タイミングを示す外部信号に基づいて前記光源の点灯状態を制御する制御手段とを備えたことを特徴とする放射温度計。
【請求項２】
前記演算手段により算出された温度が所定の条件を満たすか否かを判定する判定手段と、
前記判定手段の判定結果を出力する出力手段とをさらに備えたことを特徴とする請求項１記載の放射温度計。
【請求項３】
測定対象物の温度を測定する放射温度計であって、
前記測定対象物からの赤外線エネルギーを検出する赤外線検出手段と、
前記赤外線検出手段の出力信号に基づいて前記測定対象物の温度を算出する演算手段と、
前記測定対象物へ光を出射する光源と、
前記演算手段により算出された前記測定対象物の温度が所定の条件を満たすか否かを判定する判定手段と、
前記判定手段の判定結果に基づいて前記光源の点灯状態を制御する制御手段とを備えたことを特徴とする放射温度計。
【請求項４】
前記判定手段は、前記演算手段により算出された前記測定対象物の温度および予め設定された温度のしきい値に基づいて、前記演算手段により算出された前記測定対象物の温度が所定の条件を満たすか否かを判定することを特徴とする請求項３記載の放射温度計。
【請求項５】
前記しきい値は、互いに異なる複数のしきい値を含み、
前記判定手段は、前記複数のしきい値に基づいて前記演算手段により算出された前記測定対象物の温度が複数の条件の各々を満たすか否かを判定し、
前記制御手段は、前記判定手段の判定結果に基づいて前記光源の点灯状態を複数の態様で制御することを特徴とする請求項４記載の放射温度計。
【請求項６】
前記判定手段の判定結果を出力する出力手段をさらに備えたことを特徴とする請求項３〜５のいずれかに記載の放射温度計。
【発明の詳細な説明】
【技術分野】
【０００１】
本発明は、物体から放射される赤外線エネルギーを検出することによりその物体の温度を測定する放射温度計に関する。
【背景技術】
【０００２】
従来より、測定対象物から放射される赤外線エネルギーを検出し、その赤外線エネルギーを測定対象物の放射率で補正することにより測定対象物の実際の温度を測定し、その温度値を表示する放射温度計がある（例えば、特許文献１参照）。
【０００３】
このような放射温度計において、測定対象物から放射される赤外線エネルギーは目に見えないため、使用者は測定対象物のどの箇所を測定しているのかを認識することができない。
【０００４】
そこで、使用者が測定箇所を認識できるように、レーザダイオード（ＬＤ）または発光ダイオード（ＬＥＤ）等の光源を用いて測定箇所を指示できる放射温度計が開発されている。
【特許文献１】特開平７−３２４９８１号公報
【発明の開示】
【発明が解決しようとする課題】
【０００５】
しかしながら、上記のような測定箇所を指示できる放射温度計においては、電源がオン状態である間、測定箇所が光源により常に指示されるので、使用者はどのようなタイミングで光源により指示された箇所の温度が測定されているのかを認識することができない。したがって、使用者は光源により指示された箇所の温度が正確に測定されているか否かを知ることはできなかった。
【０００６】
ところで、測定対象物の温度の異常を判定する放射温度計も開発されている。この放射温度計においては、測定対象物の温度が所定の温度よりも高いまたは低い場合に、判定結果として温度の正常／異常が表示される。
【０００７】
このような機能を有するとともに測定箇所を指示できる放射温度計において、測定箇所と放射温度計とは一般に離れた箇所に存在する。この場合、使用者は光源の指示により測定箇所を認識できるが、測定箇所と放射温度計に表示される判定結果とを同時に見ることができない。その結果、使用者は、判定結果の確認後に測定箇所を確認したり、測定箇所の確認後に判定結果の確認を行うと、実際の測定箇所の判定結果を正確に知ることができない場合がある。
【０００８】
本発明の目的は、使用者が測定箇所および測定タイミングを知ることができる放射温度計を提供することである。
【０００９】
本発明の他の目的は、使用者が測定対象物の温度の判定結果および実際の測定箇所を正確に知ることができる放射温度計を提供することである。
【課題を解決するための手段】
【００１０】
第１の発明に係る放射温度計は、測定対象物の温度を測定する放射温度計であって、測定対象物からの赤外線エネルギーを検出する赤外線検出手段と、赤外線検出手段の出力信号に基づいて測定対象物の温度を算出する演算手段と、測定対象物へ光を出射する光源と、測定対象物の測定タイミングを示す外部信号に基づいて光源の点灯状態を制御する制御手段とを備えたものである。
【００１１】
その放射温度計においては、赤外線検出手段により測定対象物からの赤外線エネルギーが検出され、演算手段により測定対象物の温度が算出される。ここで、制御手段は測定対象物の測定タイミングを示す外部信号に基づいて光源の点灯状態を制御する。これにより、測定対象物の温度が算出されるタイミングで光源から測定対象物へ光が出射され、測定箇所が指示される。それにより、使用者は、測定対象物の測定箇所および測定タイミングを容易に知ることができる。
【００１２】
演算手段により算出された温度が所定の条件を満たすか否かを判定する判定手段と、判定手段の判定結果を出力する出力手段とをさらに備えてもよい。この場合、演算手段により算出された測定対象物の温度が所定の条件を満たすか否かが判定手段により判定され、その判定結果が出力手段により出力される。それにより、使用者は、測定対象物の温度が所定の条件を満たすか否かを容易に知ることができる。
【００１３】
第２の発明に係る放射温度計は、測定対象物の温度を測定する放射温度計であって、測定対象物からの赤外線エネルギーを検出する赤外線検出手段と、赤外線検出手段の出力信号に基づいて測定対象物の温度を算出する演算手段と、測定対象物へ光を出射する光源と、演算手段により算出された測定対象物の温度が所定の条件を満たすか否かを判定する判定手段と、判定手段の判定結果に基づいて光源の点灯状態を制御する制御手段とを備えたものである。
【００１４】
その放射温度計においては、赤外線検出手段により測定対象物からの赤外線エネルギーが検出され、演算手段により測定対象物の温度が算出される。そして、演算手段により算出された測定対象物の温度が所定の条件を満たすか否かが判定手段により判定される。そこで、制御手段は判定手段の判定結果に基づいて光源の点灯状態を制御する。これにより、演算手段により算出された測定対象物の温度が所定の条件を満たすか否かに応じて光源の点灯状態が変化する。それにより、測定箇所の光源による指示状態が変化するので、使用者は、測定対象物の温度が所定の条件を満たすか否かの判定結果および実際の測定箇所を容易かつ正確に知ることができる。
【００１５】
判定手段は、演算手段により算出された測定対象物の温度および予め設定された温度のしきい値に基づいて、演算手段により算出された測定対象物の温度が所定の条件を満たすか否かを判定してもよい。この場合、算出された測定対象物の温度が所定の条件を満たすか否かが、しきい値に基づいて判定手段により判定される。これにより、使用者は測定対象物の温度の所定の条件をしきい値により容易に設定することができる。
【００１６】
しきい値は、互いに異なる複数のしきい値を含み、判定手段は、複数のしきい値に基づいて演算手段により算出された測定対象物の温度が複数の条件の各々を満たすか否かを判定し、制御手段は、判定手段の判定結果に基づいて光源の点灯状態を複数の態様で制御してもよい。
【００１７】
この場合、演算手段により算出された測定対象物の温度が複数の条件の各々を満たすか否かが、複数のしきい値に基づいて判定手段により判定される。これにより、使用者は測定対象物の温度の複数の条件を複数のしきい値により容易に設定することができる。
【００１８】
また、制御手段により判定手段の判定結果に基づいて光源の点灯状態が複数の態様で制御されるので、使用者は、光源の点灯状態の態様に基づいて、測定対象物の温度が複数の条件を満たすか否かの判定結果および実際の測定箇所を容易かつ正確に知ることができる。
【００１９】
判定手段の判定結果を出力する出力手段をさらに備えてもよい。この場合、判定結果が出力手段により出力される。それにより、使用者は、測定対象物の温度が所定の条件を満たすか否かを容易に知ることができる。
【発明の効果】
【００２０】
本発明に係る放射温度計によれば、測定対象物の温度が算出されるタイミングで光源から測定対象物へ光が出射され、測定箇所が指示される。それにより、使用者は、測定対象物の測定箇所および測定タイミングを容易に知ることができる。
【００２１】
また、演算手段により算出された測定対象物の温度が所定の条件を満たすか否かに応じて光源の点灯状態が変化する。それにより、測定箇所の光源による指示状態が変化するので、使用者は、測定対象物の温度が所定の条件を満たすか否かの判定結果および実際の測定箇所を容易かつ正確に知ることができる。
【発明を実施するための最良の形態】
【００２２】
以下、本発明の一実施の形態に係る放射温度計について図１〜図１６に基づき説明する。
【００２３】
（第１の実施の形態）
図１は、第１の一実施の形態に係る放射温度計のブロック図である。図１に示すように、本実施の形態に係る放射温度計１００は、ヘッド部１００Ａおよび本体部１００Ｂを備える。
【００２４】
ヘッド部１００Ａおよび本体部１００Ｂは互いにケーブル８０により接続されている。また、本体部１００Ｂはケーブル８１，８２を介して図示しない外部装置に接続される。
【００２５】
図２は、図１のヘッド部１００Ａのブロック図であり、図３は図１の本体部１００Ｂのブロック図である。
【００２６】
図１に示すように、ヘッド部１００Ａは、サーモパイル１０、プリアンプ基板２０、メイン基板３０、電源基板４０および２つのレーザダイオード６０，７０を備える。
【００２７】
サーモパイル１０は、赤外線受光部１１およびサーミスタ１２を備える。プリアンプ基板２０には、第１の信号増幅部２１および第２の信号増幅部２２が実装される。メイン基板３０には、第３の信号増幅部３１、アナログデジタル変換回路（以下、ＡＤ変換回路と略記する。）３２，３３、ＣＰＵ（中央演算処理装置）３４、記憶部３５、表示灯３６およびレーザ駆動回路３７が実装される。
【００２８】
電源基板４０には、電源回路４１、通信回路４２およびレーザ駆動回路４３が実装される。電源基板４０には、電源線および信号線を含むケーブル８０が接続されている。
【００２９】
サーモパイル１０において、赤外線受光部１１は測定対象物から放射される赤外線エネルギーを検出する。サーミスタ１２はサーモパイル１０の内部温度を検出する。
【００３０】
プリアンプ基板２０において、第１の信号増幅部２１は赤外線受光部１１の出力信号を増幅する。第２の信号増幅部２２はサーミスタ１２の出力信号を増幅する。
【００３１】
メイン基板３０において、第３の信号増幅部３１は第１の信号増幅部２１の出力信号を増幅する。ＡＤ変換回路３２は、第３の信号増幅部３１の出力信号をデジタル信号に変換し、そのデジタル信号を測定対象物の検出温度値としてＣＰＵ３４へ与える。
【００３２】
ＡＤ変換回路３３は、第２の信号増幅部２２の出力信号をデジタル信号に変換し、そのデジタル信号をサーモパイル１０の内部温度値としてＣＰＵ３４へ与える。
【００３３】
記憶部３５には、サーモパイル１０に関する情報およびＣＰＵ３４が測定対象物の温度を算出するための演算式等が記憶されている。サーモパイル１０に関する情報とは、例えば、赤外線受光部１１のゲインおよびオフセット値、サーミスタ１２のゲインおよびオフセット値、ならびにサーモパイルの測定温度範囲等である。
【００３４】
ＣＰＵ３４には、本体部１００Ｂからケーブル８０および通信回路４２を通じて、測定対象物の放射率、後述の判定信号およびレーザ指令信号が与えられる。ＣＰＵ３４は、ＡＤ変換回路３２から与えられる検出温度値、ＡＤ変換回路３３から与えられる内部温度値、本体部１００Ｂから与えられた放射率、ならびに記憶部３５に記憶された種々の情報および演算式に基づいて測定対象物の実際の温度値（以下、測定温度値と呼ぶ。）を算出する。そして、ＣＰＵ３４は測定温度値を通信回路４２およびケーブル８０を通じて本体部１００Ｂに与える。
【００３５】
また、ＣＰＵ３４は、ＡＤ変換回路３２の出力信号のレベルに基づいて第３の信号増幅部３１のゲインをフィードバック制御する。
【００３６】
さらに、ＣＰＵ３４は、表示灯３６、レーザ駆動回路３７および電源基板４０のレーザ駆動回路４３の動作を制御する。表示灯３６は、ＣＰＵ３４の制御により後述の判定信号のオン状態またはオフ状態を点灯または消灯により表示する。レーザ駆動回路３７は、ＣＰＵ３４の制御によりレーザダイオード６０を駆動する。
【００３７】
電源基板４０において、電源回路４１は本体部１００Ｂからケーブル８０を通じて与えられる電力をヘッド部１００Ａの各構成部に供給する。
【００３８】
通信回路４２およびレーザ駆動回路４３は、メイン基板３０のＣＰＵ３４と接続されている。
【００３９】
通信回路４２は、上述のように、ケーブル８０を介してＣＰＵ３４と本体部１００Ｂとの間で通信を行う。レーザ駆動回路４３は、ＣＰＵ３４の制御によりレーザダイオード７０を駆動する。レーザダイオード６０，７０から出射されるレーザ光は測定対象物の測定箇所に照射される。
【００４０】
図３に示すように、本体部１００Ｂは、電源回路９１、通信回路９２、ＣＰＵ９３、表示部９４、記憶部９５、操作設定部９６、外部出力回路９７、アナログ出力回路９８および外部入力回路９９を備える。
【００４１】
電源回路９１および通信回路９２にはケーブル８０が接続されている。電源回路９１は、電池等の電力供給源を備え、その電力を本体部１００Ｂの各構成部およびヘッド部１００Ａに供給する。通信回路９２は、ケーブル８０を介してＣＰＵ９３とヘッド部１００Ａとの間で通信を行う。
【００４２】
記憶部９５は、測定対象物の放射率、演算式および判定のためのしきい値等を記憶する。使用者は、操作設定部９６を操作することにより測定対象物の放射率およびしきい値等を設定することができる。設定された放射率およびしきい値等は記憶部９５に記憶される。
【００４３】
ＣＰＵ９３は、本体部１００Ｂの各構成部の動作を制御する。また、ＣＰＵ９３は、ヘッド部１００Ａから与えられる測定温度値と記憶部９５に記憶されるしきい値との大小関係を判定し、判定結果に基づく判定信号を生成し、外部出力回路９７を介してケーブル８１に出力する。また、ＣＰＵ９３は、判定信号を通信回路９２を介してケーブル８０に出力する。
【００４４】
判定信号は、例えば、測定温度値がしきい値よりも高い場合にオン状態（例えば、ハイレベル）となり、測定温度値がしきい値以下の場合にオフ状態（例えば、ローレベル）となる。
【００４５】
さらに、ＣＰＵ９３は、ヘッド部１００Ａから与えられる測定温度値を外部出力回路９７を介してケーブル８１に出力するとともに、測定温度値に対応するアナログ信号をアナログ出力回路９８を介してケーブル８１に出力する。
【００４６】
外部入力回路９９は、ＣＰＵ９３に接続されるとともに、ケーブル８２を介して図示しない外部装置に接続されている。外部入力回路９９には、外部装置から外部信号が入力される。この、外部信号は、ヘッド部１００Ａのレーザダイオード６０，７０の駆動を制御するための信号である。
【００４７】
外部入力回路９９は、入力された外部信号をＣＰＵ９３に与える。ＣＰＵ９３は、外部信号のオン状態（例えば、ハイレベル）またはオフ状態（例えば、ローレベル）に基づいて、レーザダイオード６０，７０の点灯および消灯を指令するレーザ指令信号を通信回路９２を介してケーブル８０に出力する。
【００４８】
本実施の形態においては、レーザダイオード６０，７０の点灯が指令される場合にレーザ指令信号がオン状態（例えば、ハイレベル）となる。また、レーザダイオード６０，７０の消灯が指令される場合にレーザ指令信号がオフ状態（例えば、ローレベル）となる。
【００４９】
これにより、本実施の形態に係る放射温度計１００のヘッド部１００Ａにおいては、外部信号に基づくレーザ指令信号によりレーザダイオード６０，７０の点灯状態が制御される。
【００５０】
本実施の形態に係る放射温度計１００は、例えば以下のように用いられる。
【００５１】
図４は、第１の実施の形態に係る放射温度計１００の一適用例を説明するための図である。
【００５２】
図４の例では、ベルトコンベアＢＲの上方の所定位置にヘッド部１００Ａを設置し、ベルトコンベアＢＲにより搬送される測定対象物Ｗの温度を測定する。
【００５３】
図４（ａ）および図４（ｂ）に示すように、ベルトコンベアＢＲ上では複数の測定対象物Ｗが互いに所定の間隔を保ちつつ矢印Ｔの方向に搬送されている。
【００５４】
本例において、ヘッド部１００Ａはその直下に位置する測定対象物ＷまたはベルトコンベアＢＲから放射される赤外線を受光し、測定温度値を算出する。ベルトコンベアＢＲにより測定対象物Ｗが搬送されると、ヘッド部１００Ａには測定対象物Ｗから放射される赤外線Ｒと、ベルトコンベアＢＲから放射される赤外線Ｒとが交互に入射される。
【００５５】
ここで、図４（ａ）に示すように、ヘッド部１００Ａは測定対象物Ｗがその直下に位置するときのみレーザダイオード６０，７０からレーザ光Ｌを出射する（レーザダイオード６０，７０の点灯）。一方、図４（ｂ）に示すように、ヘッド部１００Ａは測定対象物Ｗがその直下に位置しない場合、レーザダイオード６０，７０からレーザ光Ｌを出射しない（レーザダイオード６０，７０の消灯）。
【００５６】
上述のように、レーザダイオード６０，７０の点灯および消灯の切替は、本体部１００Ｂに入力される外部信号により制御される。外部信号のオン／オフ状態の切り替わりはベルトコンベアＢＲによる測定対象物Ｗの搬送に同期している。本例において、外部信号はヘッド部１００Ａの直下に測定対象物Ｗが位置するタイミングでオン状態となり、ヘッド部１００Ａの直下に測定対象物Ｗが位置しないタイミングでオフ状態となる。
【００５７】
本体部１００ＢのＣＰＵ９３（図３）は、外部信号がオン状態になると、レーザ指令信号をオン状態とし、ヘッド部１００ＡのＣＰＵ３４（図２）へ出力する。そこで、ＣＰＵ３４はオン状態のレーザ指令信号に応答してレーザダイオード６０，７０を点灯させる。
【００５８】
一方、本体部１００ＢのＣＰＵ９３は、外部信号がオフ状態になると、レーザ指令信号をオフ状態とし、ヘッド部１００ＡのＣＰＵ３４へ出力する。そこで、ＣＰＵ３４はオフ状態のレーザ指令信号に応答してレーザダイオード６０，７０を消灯させる。
【００５９】
これにより、使用者は、測定対象物Ｗの測定温度値が算出されるタイミングでレーザダイオード６０，７０により測定箇所が指示されるので、測定対象物Ｗの測定箇所および測定タイミングを容易に知ることができる。
【００６０】
図５は、第１の実施の形態に係る放射温度計１００の他の適用例を説明するための図である。図５の適用例は、以下の点で図４の適用例と異なる。
【００６１】
図５の例では、測定対象物Ｗが球形状を有する。本例において、外部信号はヘッド部１００Ａの直下に測定対象物Ｗの中央部が位置するタイミングでオン状態となり、ヘッド部１００Ａの直下に測定対象物Ｗの中央部が位置しないタイミングでオフ状態となる。
【００６２】
それにより、図５（ａ）に示すように、ヘッド部１００Ａは測定対象物Ｗの中央部がその直下に位置するときのみレーザダイオード６０，７０からレーザ光Ｌを出射する（レーザダイオード６０，７０の点灯）。一方、図５（ｂ）に示すように、ヘッド部１００Ａは測定対象物Ｗの中央部がその直下に位置しない場合、レーザダイオード６０，７０からレーザ光Ｌを出射しない（レーザダイオード６０，７０の消灯）。
【００６３】
一般に、測定対象物Ｗの放射率は赤外線の放射方向に応じて変化する。したがって、複数の測定対象物Ｗの測定温度値を正確に得たい場合、測定温度値は各測定対象物Ｗから垂直方向に放射される赤外線により算出することが好ましい。
【００６４】
上記のように、測定対象物Ｗの中央部の測定温度値を算出するときのみレーザダイオード６０，７０が点灯し、測定箇所が指示されることにより、使用者は、測定対象物Ｗの測定箇所を正確に知ることができるとともに、その測定タイミングを容易に知ることができる。それにより、正確に測定対象物Ｗの温度測定が行われているか否かを容易に認識することができる。
【００６５】
図６に基づいて、放射温度計１００のヘッド部１００Ａの動作について説明する。図６は、第１の実施の形態に係る放射温度計１００のヘッド部１００Ａの動作を説明するためのフローチャートである。
【００６６】
初めに、ヘッド部１００ＡのＣＰＵ３４は、赤外線受光部１１（図２）により検出された測定対象物Ｗの赤外線エネルギーに基づいて測定温度値を算出し、測定温度値を本体部１００Ｂへ送信する（ステップＳ１１）。
【００６７】
続いて、ＣＰＵ３４は、本体部１００Ｂからレーザ指令信号を受信したか否かを判定する（ステップＳ１２）。
【００６８】
ＣＰＵ３４は、レーザ指令信号を受信した場合、レーザ指令信号がオン状態であるか否かを判別する（ステップＳ１３）。
【００６９】
ＣＰＵ３４は、レーザ指令信号がオン状態である場合、レーザ駆動回路３７，４３（図２）を制御することによりレーザダイオード６０，７０を点灯させる（ステップＳ１４）。
【００７０】
一方、ＣＰＵ３４は、レーザ指令信号がオフ状態である場合、レーザ駆動回路３７，４３を制御することによりレーザダイオード６０，７０を消灯させる（ステップＳ１５）。
【００７１】
図７に基づいて、放射温度計１００の本体部１００Ｂの動作について説明する。図７は、第１の実施の形態に係る放射温度計１００の本体部１００Ｂの動作を説明するためのフローチャートである。
【００７２】
初めに、本体部１００ＢのＣＰＵ９３は、ヘッド部１００Ａから測定温度値を受信するとともに、ケーブル８２を介して接続された外部装置（図示せず）から外部信号を受信する（ステップＳ２１）。そこで、ＣＰＵ９３は、外部信号がオン状態であるか否かを判別する（ステップＳ２２）。
【００７３】
ＣＰＵ９３は、外部信号がオン状態である場合、オン状態のレーザ指令信号をヘッド部１００Ａへ送信し、レーザダイオード６０，７０の点灯を指令する（ステップＳ２３）。一方、ＣＰＵ９３は、外部信号がオン状態でない場合（オフ状態である場合）、オフ状態のレーザ指令信号をヘッド部１００Ａへ送信し、レーザダイオード６０，７０の消灯を指令する（ステップＳ２４）。
【００７４】
続いて、ＣＰＵ９３は、受信した測定温度値に関する判定処理を行う（ステップＳ２５）。この判定処理とは、受信した測定温度値が記憶部９５に記憶されるしきい値よりも高いか否かを判定することにより、オン状態またはオフ状態の判定信号を生成する処理をいう。
【００７５】
そこで、ＣＰＵ９３は、生成した判定信号をヘッド部１００Ａへ送信するとともに、ケーブル８１を介して接続された外部装置（図示せず）へ送信する（ステップＳ２６）。
【００７６】
上記のように、第１の実施の形態に係る放射温度計１００によれば、測定対象物Ｗの温度が算出されるタイミングでレーザダイオード６０，７０から測定対象物Ｗへレーザ光が出射され、測定箇所が指示される。それにより、使用者は、測定対象物Ｗの測定箇所および測定タイミングを容易に知ることができる。
【００７７】
また、測定温度値が所定の条件を満たすか否かがＣＰＵ９３により判定され、その判定結果が出力されるので、使用者は、測定対象物Ｗの温度が所定の条件を満たすか否かを容易に知ることができる。
【００７８】
第１の実施の形態に係る放射温度計１００において、外部信号のオン／オフ状態の切り替わりに基づくレーザダイオード６０，７０の点灯状態の態様は任意に設定可能である。例えば、外部信号のオン時またはオフ時にレーザダイオード６０，７０を点滅させてもよく、外部信号のオン時とオフ時とでレーザダイオード６０，７０を異なる色で点灯させてもよい。
【００７９】
本実施の形態に係る放射温度計１００において、外部信号を本体部１００Ｂに入力する外部装置は、例えば、測定対象物Ｗを検出するセンサであってもよい。この場合、センサが測定対象物Ｗを検出することにより、外部信号のオン／オフ状態の切り替わりを測定対象物Ｗの搬送に同期させることが容易となる。
【００８０】
また、外部装置は、ベルトコンベアＢＲの搬送速度を制御する制御装置であってもよい。この場合においても、外部信号のオン／オフ状態の切り替わりを測定対象物Ｗの搬送に同期させることが容易となる。
【００８１】
（第２の実施の形態）
第２の実施の形態に係る放射温度計は以下の点を除き、第１の実施の形態に係る放射温度計１００と同じ構成および動作を有する。
【００８２】
本実施の形態に係る放射温度計１００において、本体部１００ＢのＣＰＵ９３（図３）は、判定信号のオン／オフ状態に基づいてレーザ指令信号のオン／オフ状態を切り替えるとともに、そのレーザ指令信号をヘッド部１００Ａへ送信する。
【００８３】
これにより、本実施の形態に係る放射温度計１００のヘッド部１００Ａにおいては、判定信号のオン／オフ状態に基づくレーザ指令信号によりレーザダイオード６０，７０の点灯状態が制御される。
【００８４】
本実施の形態に係る放射温度計１００は、例えば以下のように用いられる。
【００８５】
図８は、第２の実施の形態に係る放射温度計１００の一適用例を説明するための図である。本例では、複数の放射温度計１００を用いる。図８（ａ）は複数の放射温度計１００による測定対象物Ｗの温度測定状況を示す。図８（ｂ）、（ｃ）は測定対象物Ｗの上面図を示す。
【００８６】
図８の例では、長手形状を有する測定対象物Ｗの上方における所定位置に複数のヘッド部１００Ａを設置し、測定対象物Ｗの複数箇所の温度を測定する。図８（ａ）によれば、５つのヘッド部１００Ａが、測定対象物Ｗの長手方向に沿って等間隔に配置されている。これにより、測定対象物Ｗの５箇所の温度が測定される（測定箇所ｐ１〜ｐ５参照）。
【００８７】
ここで、図８（ｂ）に示すように、測定対象物Ｗの特定部分ｅ１の温度が他の部分に比べて高い場合を想定する。すなわち、特定部分ｅ１の温度が図３の記憶部９５に記憶されたしきい値よりも高く、他の部分の温度がしきい値以下である場合を想定する。
【００８８】
この場合、測定箇所ｐ４の温度を測定する放射温度計１００においては、測定温度値がしきい値よりも高いことにより判定信号がオン状態となる。これにより、本体部１００ＢのＣＰＵ９３はレーザ指令信号をオン状態とし、ヘッド部１００ＡのＣＰＵ３４（図２）へ出力する。そこで、ＣＰＵ３４はオン状態のレーザ指令信号に応答してレーザダイオード６０，７０を点灯させる。
【００８９】
一方、測定箇所ｐ１，ｐ２，ｐ３，ｐ５の温度を測定する放射温度計１００においては、測定温度値がしきい値以下であることにより判定信号がオフ状態となる。これにより、本体部１００ＢのＣＰＵ９３はレーザ指令信号をオフ状態とし、ヘッド部１００ＡのＣＰＵ３４へ出力する。そこで、ＣＰＵ３４はオフ状態のレーザ指令信号に応答してレーザダイオード６０，７０を消灯させる。
【００９０】
その結果、図８（ｃ）に示すように、複数の放射温度計１００のうち、測定箇所ｐ４の温度を測定するヘッド部１００Ａのレーザダイオード６０，７０が点灯し、測定箇所ｐ４がレーザ光により指示される。
【００９１】
これにより、使用者は、異常な温度である箇所をレーザ光の指示により容易に知ることができる。換言すれば、使用者は、測定対象物Ｗの温度の判定結果および実際の測定箇所を正確に知ることができる。
【００９２】
第２の実施の形態において、放射温度計１００のヘッド部１００Ａの動作は、第１の実施の形態に係る放射温度計１００のヘッド部１００Ａの動作と同じである。
【００９３】
図９に基づいて、放射温度計１００の本体部１００Ｂの動作について説明する。図９は、第２の実施の形態に係る放射温度計１００の本体部１００Ｂの動作を説明するためのフローチャートである。
【００９４】
初めに、本体部１００ＢのＣＰＵ９３は、ヘッド部１００Ａから測定温度値を受信する（ステップＳ３１）。そこで、ＣＰＵ９３は、受信した測定温度値に関する判定処理を行う（ステップＳ３２）。この判定処理は、第１の実施の形態と同様である。
【００９５】
次に、ＣＰＵ９３は、判定信号がオン状態であるか否かを判別する（ステップＳ３３）。
【００９６】
ＣＰＵ９３は、判定信号がオン状態である場合、オン状態のレーザ指令信号をヘッド部１００Ａへ送信し、レーザダイオード６０，７０の点灯を指令する（ステップＳ３４）。一方、ＣＰＵ９３は判定信号がオン状態でない場合（オフ状態である場合）、オフ状態のレーザ指令信号をヘッド部１００Ａへ送信し、レーザダイオード６０，７０の消灯を指令する（ステップＳ３５）。
【００９７】
ＣＰＵ９３は、上記のステップＳ３４，Ｓ３５の動作の後、生成した判定信号をヘッド部１００Ａへ送信するとともに、ケーブル８１を介して接続された外部装置（図示せず）へ送信する（ステップＳ３６）。
【００９８】
上記のように、第２の実施の形態に係る放射温度計１００によれば、測定温度値が所定の条件を満たすか否かに応じてレーザダイオード６０，７０の点灯状態が変化する。それにより、測定箇所のレーザ光による指示状態が変化するので、使用者は、測定対象物Ｗの温度が所定の条件を満たすか否かの判定結果および実際の測定箇所を容易かつ正確に知ることができる。
【００９９】
また、測定温度値が所定の条件を満たすか否かが、しきい値に基づいてＣＰＵ９３により判定される。これにより、使用者は測定対象物Ｗの温度の所定の条件をしきい値により容易に設定することができる。
【０１００】
さらに、測定温度値が所定の条件を満たすか否かがＣＰＵ９３により判定され、その判定結果が出力されるので、使用者は、測定対象物Ｗの温度が所定の条件を満たすか否かを容易に知ることができる。
【０１０１】
第２の実施の形態に係る放射温度計１００において、判定信号のオン／オフ状態の切り替わりに基づくレーザダイオード６０，７０の点灯状態の態様は任意に設定可能である。例えば、判定信号のオン時またはオフ時にレーザダイオード６０，７０を点滅させてもよく、判定信号のオン時とオフ時とでレーザダイオード６０，７０を異なる色で点灯させてもよい。
【０１０２】
（第３の実施の形態）
第３の実施の形態に係る放射温度計は以下の点を除き、第２の実施の形態に係る放射温度計１００と同じ構成および動作を有する。
【０１０３】
本実施の形態に係る放射温度計１００において、本体部１００ＢのＣＰＵ９３（図３）は、電源のオン／オフ状態ならびに判定信号のオン／オフ状態に基づいて、レーザ指令信号のオン／オフ状態を切り替えるとともに、そのレーザ指令信号をヘッド部１００Ａへ送信する。
【０１０４】
本実施の形態において、レーザ指令信号のオン／オフ状態の切り替えは、例えば次のように行われる。
【０１０５】
初めに、ＣＰＵ９３は電源がオン状態となることによりレーザ指令信号をオン状態とする。これにより、ＣＰＵ９３はヘッド部１００Ａにレーザダイオード６０，７０の点灯を指令する。それにより、レーザダイオード６０，７０が点灯する。
【０１０６】
ここで、ＣＰＵ９３は、判定信号がオン状態である場合にレーザ指令信号のオン／オフ状態の切り替えを繰り返す。この切り替えは所定の周期で行われる。これにより、ＣＰＵ９３はヘッド部１００Ａにレーザダイオード６０，７０の点滅を指令する。それにより、レーザダイオード６０，７０が点滅する。
【０１０７】
一方、ＣＰＵ９３は、判定信号がオフ状態である場合にレーザ指令信号をオン状態とする。これにより、ＣＰＵ９３はヘッド部１００Ａにレーザダイオード６０，７０の点灯を指令する。それにより、レーザダイオード６０，７０が点灯する。
【０１０８】
このように、本実施の形態に係る放射温度計１００のヘッド部１００Ａにおいては、電源のオン／オフ状態ならびに判定信号のオン／オフ状態に基づくレーザ指令信号によりレーザダイオード６０，７０の点灯状態が制御される。
【０１０９】
本実施の形態に係る放射温度計１００は、例えば以下のように用いられる。
【０１１０】
図１０は、第３の実施の形態に係る放射温度計１００の一適用例を説明するための図である。図１０（ａ）は放射温度計１００による測定対象物Ｗ１〜Ｗ４の温度測定状況を示す。図１０（ｂ）、（ｃ）はベルトコンベアＢＲにより搬送される複数の測定対象物Ｗ１〜Ｗ４の上面図を示す。
【０１１１】
図１０の例では、ベルトコンベアＢＲの上方の所定位置にヘッド部１００Ａを設置し、ベルトコンベアＢＲにより搬送される測定対象物Ｗ１〜Ｗ４の温度を測定する。
【０１１２】
なお、以下の説明において、測定対象物Ｗ３の温度は他の測定対象物Ｗ１，Ｗ２，Ｗ４の温度に比べて高い温度を有するものとする。すなわち、測定対象物Ｗ３の温度は本体部１００Ｂの記憶部９５（図３）に記憶されたしきい値よりも高い温度を有し、他の測定対象物Ｗ１，Ｗ２，Ｗ４の温度はしきい値以下の温度を有するものとする。
【０１１３】
図１０（ａ）に示すように、ベルトコンベアＢＲ上では複数の測定対象物Ｗ１〜Ｗ４が互いに所定の間隔を保ちつつ矢印Ｔの方向に搬送されている。
【０１１４】
本例において、ヘッド部１００Ａはその直下に位置する測定対象物Ｗ１〜Ｗ４またはベルトコンベアＢＲから放射される赤外線Ｒを受光し、測定温度値を算出する。ベルトコンベアＢＲにより測定対象物Ｗ１〜Ｗ４が搬送されると、ヘッド部１００Ａには測定対象物Ｗ１〜Ｗ４から放射される赤外線Ｒと、ベルトコンベアＢＲから放射される赤外線Ｒとが交互に入射される。
【０１１５】
本体部１００ＢのＣＰＵ９３は、放射温度計１００の電源がオン状態となると、レーザ指令信号をオン状態とし、ヘッド部１００ＡのＣＰＵ３４（図２）へ出力する。そこで、ＣＰＵ３４はオン状態のレーザ指令信号に応答してレーザダイオード６０，７０を点灯させる。
【０１１６】
ここで、図１０（ｂ）に示すように、本体部１００ＢのＣＰＵ９３は、測定対象物Ｗ１，Ｗ２，Ｗ４の温度測定時においては、それぞれの温度がしきい値以下であることにより判定信号をオフ状態とする。この場合、ＣＰＵ９３は、上述のようにレーザ指令信号をオン状態とし、ヘッド部１００Ａにレーザダイオード６０，７０の点灯を指令する。それにより、ＣＰＵ９３はレーザダイオード６０，７０を点灯させる。
【０１１７】
一方、図１０（ｃ）に示すように、本体部１００ＢのＣＰＵ９３は、測定対象物Ｗ３の温度測定時においては、その温度がしきい値よりも高いことにより判定信号をオン状態とする。この場合、ＣＰＵ９３は、上述のようにレーザ指令信号のオン／オフ状態を所定の周期で切り替え、ヘッド部１００Ａにレーザダイオード６０，７０の点滅を指令する。それにより、ＣＰＵ９３はレーザダイオード６０，７０を点滅させる。
【０１１８】
これにより、使用者は、測定対象物Ｗ１〜Ｗ４の測定温度値がしきい値よりも高い場合にレーザダイオード６０，７０の点灯状態が変化するので、異常な温度である測定対象物Ｗ３をレーザ光の点滅により容易に知ることができる。換言すれば、使用者は、測定対象物Ｗ１〜Ｗ４の温度の判定結果および実際の測定箇所を容易かつ正確に知ることができる。
【０１１９】
図１１に基づいて、放射温度計１００のヘッド部１００Ａの動作について説明する。図１１は、第３の実施の形態に係る放射温度計１００のヘッド部１００Ａの動作を説明するためのフローチャートである。
【０１２０】
初めに、ヘッド部１００ＡのＣＰＵ３４は、本体部１００Ｂからオン状態のレーザ指令信号を受信し、レーザ駆動回路３７，４３（図２）を制御することによりレーザダイオード６０，７０を点灯させる（ステップＳ４１）。
【０１２１】
次に、ＣＰＵ３４は、赤外線受光部１１（図２）により検出された測定対象物Ｗ１〜Ｗ４の赤外線エネルギーに基づいて測定温度値を算出し、測定温度値を本体部１００Ｂへ送信する（ステップＳ４２）。
【０１２２】
ここで、ＣＰＵ３４は、レーザダイオード６０，７０の点滅の指令を受けたか否かを判別する（ステップＳ４３）。ＣＰＵ３４は、レーザダイオード６０，７０の点滅の指令を受けた場合、レーザダイオード６０，７０を点滅させる（ステップＳ４４）。一方、ＣＰＵ３４は、レーザダイオード６０，７０の点滅の指令を受けない場合、レーザダイオード６０，７０の点灯状態を維持する（ステップＳ４５）。
【０１２３】
図１２に基づいて、放射温度計１００の本体部１００Ｂの動作について説明する。図１２は、第３の実施の形態に係る放射温度計１００の本体部１００Ｂの動作を説明するためのフローチャートである。
【０１２４】
初めに、本体部１００ＢのＣＰＵ９３は、電源のオンに応答してオン状態のレーザ指令信号をヘッド部１００Ａへ送信する（ステップＳ５１）。次に、ＣＰＵ９３は、ヘッド部１００Ａから測定温度値を受信する（ステップＳ５２）。そして、ＣＰＵ９３は、受信した測定温度値に関する判定処理を行う（ステップＳ５３）。この判定処理は、第１の実施の形態における判定処理と同じである。
【０１２５】
続いて、ＣＰＵ９３は、生成した判定信号がオン状態であるかオフ状態であるかを判別する（ステップＳ５４）。
【０１２６】
ＣＰＵ９３は、判定信号がオン状態である場合、所定の周期でオン／オフ状態が切り替わるレーザ指令信号をヘッド部１００Ａへ送信し、レーザダイオード６０，７０の点滅を指令する（ステップＳ５５）。そして、ＣＰＵ９３は、生成した判定信号をヘッド部１００Ａへ送信するとともに、ケーブル８１を介して接続された外部装置（図示せず）へ送信する（ステップＳ５６）。
【０１２７】
上記ステップＳ５４において、判定信号がオフ状態である場合、ＣＰＵ９３はレーザダイオード６０，７０の点滅を指令することなく上記ステップＳ５６の動作を行う。
【０１２８】
第３の実施の形態に係る放射温度計１００においても、判定信号のオン／オフ状態の切り替わりに基づくレーザダイオード６０，７０の点灯状態の態様は任意に設定可能である。例えば、判定信号のオン時またはオフ時にレーザダイオード６０，７０を点滅させてもよく、判定信号のオン時とオフ時とでレーザダイオード６０，７０を異なる色で点灯させてもよい。
【０１２９】
（第４の実施の形態）
第４の実施の形態に係る放射温度計は以下の点を除き、第２の実施の形態に係る放射温度計１００と同じ構成および動作を有する。
【０１３０】
本実施の形態に係る放射温度計１００において、本体部１００Ｂの記憶部９５（図３）には第１のしきい値および第１のしきい値よりも高い第２のしきい値が記憶されている。それにより、本体部１００ＢのＣＰＵ９３（図３）は、第１のしきい値に基づいて第１の判定処理を行い、第１の判定結果として第１の判定信号を生成する。また、本体部１００ＢのＣＰＵ９３は、第２のしきい値に基づいて第２の判定処理を行い、第２の判定結果として第２の判定信号を生成する。
【０１３１】
ＣＰＵ９３は、生成した第１および第２の判定信号を通信回路９２を介してケーブル８０に出力する。また、ＣＰＵ９３は、第１および第２の判定信号のオン／オフ状態に応じて第１のレーザ指令信号、第２のレーザ指令信号をヘッド部１００Ａへ送信する。
【０１３２】
本実施の形態に係る放射温度計１００において、本体部１００ＢのＣＰＵ９３は、第１および第２の判定信号のオン／オフ状態に基づいてレーザ指令信号のオン／オフ状態を切り替えるとともに、そのレーザ指令信号をヘッド部１００Ａへ送信する。
【０１３３】
本実施の形態において、レーザ指令信号のオン／オフの切り替えは、例えば次のように行われる。
【０１３４】
ＣＰＵ９３は、第１および第２の判定信号がオン状態である場合にレーザ指令信号のオン／オフ状態の切り替えを第１の周期で繰り返す。これにより、ＣＰＵ９３はヘッド部１００Ａにレーザダイオード６０，７０の第１の周期での点滅を指令する。それにより、レーザダイオード６０，７０が第１の周期で点滅する。
【０１３５】
一方、ＣＰＵ９３は、第１および第２の判定信号のいずれか一方がオン状態である場合にレーザ指令信号のオン／オフ状態の切り替えを第２の周期で繰り返す。この第２の周期は上述の第１の周期よりも長い。これにより、ＣＰＵ９３はヘッド部１００Ａにレーザダイオード６０，７０の第２の周期での点滅を指令する。それにより、レーザダイオード６０，７０が第２の周期で点滅する。
【０１３６】
このように、本実施の形態に係る放射温度計１００のヘッド部１００Ａにおいては、第１および第２の判定信号のオン／オフ状態によりレーザダイオード６０，７０の点灯状態が制御される。
【０１３７】
本実施の形態に係る放射温度計１００は、例えば以下のように用いられる。
【０１３８】
図１３は、第４の実施の形態に係る放射温度計１００の一適用例を説明するための図である。本例では、複数の放射温度計１００を用いる。図１３（ａ）は複数の放射温度計１００による測定対象物Ｗの温度測定状況を示す。図１３（ｂ）、（ｃ）は測定対象物Ｗの上面図を示す。
【０１３９】
図１３の例では、長手形状を有する測定対象物Ｗの上方の所定位置に複数のヘッド部１００Ａを設置し、測定対象物Ｗの複数箇所の温度を測定する。図１３（ａ）によれば、５つのヘッド部１００Ａが、測定対象物Ｗの長手方向に沿って等間隔に配置されている。これにより、測定対象物Ｗの５箇所の温度が測定される（測定箇所ｐ１〜ｐ５参照）。
【０１４０】
ここで、図１３（ｂ）に示すように、測定対象物Ｗの第１の部分ｅ２の温度が他の部分に比べて極めて高く、測定対象物Ｗの第２の部分ｅ３の温度が他の部分に比べてやや高い場合を想定する。すなわち、第１の部分ｆ１の温度が第１および第２のしきい値よりも高く、第２の部分ｆ２の温度が第１のしきい値よりも高く第２のしきい値以下である場合を想定する。
【０１４１】
この場合、測定箇所ｐ５の温度を測定する放射温度計１００においては、測定温度値が第１および第２のしきい値よりも高いことにより第１および第２の判定信号がオン状態となる。これにより、本体部１００ＢのＣＰＵ９３は上述のようにレーザ指令信号のオン／オフ状態を第１の周期で切り替え、ヘッド部１００Ａにレーザダイオード６０，７０の第１の周期での点滅を指令する。それにより、ＣＰＵ９３はレーザダイオード６０およびレーザダイオード７０を第１の周期で点滅させる。
【０１４２】
一方、測定箇所ｐ３，ｐ４の温度を測定する放射温度計１００においては、測定温度値が第１のしきい値よりも高く、第２のしきい値以下であることにより第１の判定信号がオフ状態となり、第２の判定信号がオン状態となる。これにより、本体部１００ＢのＣＰＵ９３は上述のようにレーザ指令信号のオン／オフ状態を第２の周期で切り替え、ヘッド部１００Ａにレーザダイオード６０，７０の第２の周期での点滅を指令する。それにより、ＣＰＵ９３はレーザダイオード６０およびレーザダイオード７０を第１の周期よりも長い第２の周期でゆっくりと点滅させる。
【０１４３】
他方、測定箇所ｐ１，ｐ２の温度を測定する放射温度計１００においては、測定温度値が第１および第２のしきい値以下であることにより第１および第２の判定信号がオフ状態となる。これにより、本体部１００ＢのＣＰＵ９３は上述のようにレーザ指令信号をオフ状態とし、ヘッド部１００Ａにレーザダイオード６０，７０の消灯を指令する。それにより、ＣＰＵ９３はレーザダイオード６０およびレーザダイオード７０を消灯させる。
【０１４４】
これにより、図１３（ｃ）に示すように、測定箇所ｐ５を測定するヘッド部１００Ａのレーザダイオード６０，７０が第１の周期で点滅し、測定箇所ｐ５が指示される。また、測定箇所ｐ３，ｐ４を測定するヘッド部１００Ａのレーザダイオード６０，７０が第２の周期で点滅し、測定箇所ｐ３，ｐ４が指示される。
【０１４５】
その結果、使用者は、異常な温度である箇所をレーザ光の指示により容易に知ることができるとともに、異常な温度の度合いを測定箇所の点滅状態により判別できるので、実際の測定箇所の温度値を容易かつ正確に知ることができる。
【０１４６】
図１４に基づいて、放射温度計１００のヘッド部１００Ａの動作について説明する。図１４は、第４の実施の形態に係る放射温度計１００のヘッド部１００Ａの動作を説明するためのフローチャートである。
【０１４７】
初めに、ヘッド部１００ＡのＣＰＵ３４は、赤外線受光部１１（図２）により検出された測定対象物Ｗの赤外線エネルギーに基づいて測定温度値を算出し、測定温度値を本体部１００Ｂへ送信する（ステップＳ６１）。
【０１４８】
続いて、ＣＰＵ３４は、本体部１００Ｂからレーザ指令信号を受信したか否かを判別する（ステップＳ６２）。
【０１４９】
ＣＰＵ３４は、レーザ指令信号を受信した場合、レーザダイオード６０，７０の消灯の指令を受けたか否かを判別する（ステップＳ６３）。ＣＰＵ３４は、６０，７０の消灯の指令を受けた場合、レーザダイオード６０，７０を消灯させる（ステップＳ６４）。
【０１５０】
上記ステップＳ６３において、ＣＰＵ３４は、レーザダイオード６０，７０の消灯の指令を受けない場合、レーザダイオード６０，７０の第１の周期の点滅の指令を受けたか否かを判別する（ステップＳ６５）。
【０１５１】
ＣＰＵ３４は、レーザダイオード６０，７０の第１の周期の点滅の指令を受けた場合、レーザダイオード６０，７０を第１の周期で点滅させる（ステップＳ６６）。ＣＰＵ３４は、レーザダイオード６０，７０の第１の周期の点滅の指令を受けない場合、レーザダイオード６０，７０の第２の周期の点滅の指令を受ける。それにより、ＣＰＵ３４はレーザダイオード６０，７０を第２の周期で点滅させる（ステップＳ６７）。
【０１５２】
図１５に基づいて、放射温度計１００の本体部１００Ｂの動作について説明する。図１５は、第４の実施の形態に係る放射温度計１００の本体部１００Ｂの動作を説明するためのフローチャートである。
【０１５３】
初めに、本体部１００ＢのＣＰＵ９３は、ヘッド部１００Ａから測定温度値を受信する（ステップＳ７１）。そこで、ＣＰＵ９３は、受信した測定温度値に関する第１の判定処理を行い（ステップＳ７２）、第１の判定信号がオン状態であるか否かを判別する（ステップＳ７３）。
【０１５４】
ＣＰＵ９３は、第１の判定信号がオン状態である場合、第２の判定処理を行い（ステップＳ７４）、第２の判定信号がオン状態であるか否かを判別する（ステップＳ７５）。
【０１５５】
ＣＰＵ９３は、第２の判定信号がオン状態である場合、第１の周期でオン／オフ状態が切り替わるレーザ指令信号をヘッド部１００Ａへ送信し、レーザダイオード６０，７０の第１の周期の点滅を指令する（ステップＳ７６）。そして、ＣＰＵ９３は、生成した第１および第２の判定信号をヘッド部１００Ａへ送信するとともに、ケーブル８１を介して接続された外部装置（図示せず）へ送信する（ステップＳ７７）。
【０１５６】
一方、ＣＰＵ９３は、第２の判定信号がオフ状態である場合、第２の周期でオン／オフ状態が切り替わるレーザ指令信号をヘッド部１００Ａへ送信し、レーザダイオード６０，７０の第２の周期の点滅を指令する（ステップＳ７６）。その後、ＣＰＵ９３は上記ステップＳ７７と同様の動作を行う。
【０１５７】
上記ステップＳ７３において、ＣＰＵ９３は、第１の判定信号がオフ状態である場合、第２の判定処理を行い（ステップＳ８４）、第２の判定信号がオン状態であるかオフ状態であるか否かを判別する（ステップＳ８５）。
【０１５８】
ＣＰＵ９３は、第２の判定信号がオン状態である場合、第２の周期でオン／オフ状態が切り替わるレーザ指令信号をヘッド部１００Ａへ送信し、レーザダイオード６０，７０の第２の周期の点滅を指令する（ステップＳ８６）。その後、ＣＰＵ９３は上記ステップＳ７７と同様の動作を行う。
【０１５９】
一方、ＣＰＵ９３は、第２の判定信号がオフ状態である場合、オフ状態のレーザ指令信号をヘッド部１００Ａへ送信し、レーザダイオード６０，７０の消灯を指令する（ステップＳ８８）。その後、ＣＰＵ９３はステップＳ７７と同様の動作を行う。
【０１６０】
上記のように、第３の実施の形態に係る放射温度計１００によれば、測定温度値が複数の条件の各々を満たすか否かが、複数のしきい値に基づいてＣＰＵ９３により判定される。これにより、使用者は測定対象物Ｗの温度の複数の条件を複数のしきい値により容易に設定することができる。
【０１６１】
また、使用者は、レーザダイオード６０，７０の点灯状態の態様に基づいて、測定温度値が複数の条件を満たすか否かの判定結果および実際の測定箇所を容易かつ正確に知ることができる。
【０１６２】
第４の実施の形態に係る放射温度計１００において、第１および第２の判定信号のオン／オフ状態の切り替わりに基づくレーザダイオード６０，７０の点灯状態の態様は任意に設定可能である。
【０１６３】
例えば、第１および第２の判定信号がともにオン状態またはオフ状態である場合、ならびに、第１および第２の判定手段のいずれか一方がオン状態であり、他方がオフ状態である場合にレーザダイオード６０，７０をそれぞれ異なる色で点灯させてもよい。
【０１６４】
以上、第１〜第４の実施の形態に係る放射温度計１００において、サーモパイル１０および赤外線受光部１１は赤外線検出手段に相当し、ヘッド部１００ＡのＣＰＵ３４は演算手段に相当し、レーザダイオード６０，７０は光源に相当し、ヘッド部１００ＡのＣＰＵ３４および本体部１００ＢのＣＰＵ９３は制御手段に相当し、本体部１００ＢのＣＰＵ９３は判定手段に相当し、ヘッド部１００Ａの表示灯３６ならびに本体部１００Ｂの外部出力回路９７およびアナログ出力回路９８は出力手段に相当する。
【０１６５】
（レーザダイオードによる測定箇所の指示形態について）
上記の第１〜第４の実施の形態において、図２のレーザダイオード６０，７０による測定箇所の指示形態について説明する。
【０１６６】
図１６は、図２のレーザダイオード６０，７０による測定箇所の指示形態を示す図である。以下の説明において、ヘッド部１００Ａのレーザダイオード６０，７０からはそれぞれの点灯時および点滅時にレーザ光Ｌ１，Ｌ２が出射される。
【０１６７】
例えば、図１６（ａ）に示すように、測定箇所ＳＰに対してレーザ光Ｌ１により測定箇所ＳＰの上端を指示し、レーザ光Ｌ２により測定箇所ＳＰの下端を指示する。この場合、使用者は測定箇所ＳＰの範囲を容易に知ることができる。
【０１６８】
また、図１６（ｂ）に示すように、測定箇所ＳＰの中心でレーザ光Ｌ１およびレーザ光Ｌ２が交差するようにレーザダイオード６０およびレーザダイオード７０の出射角度を設定する。この場合、使用者はヘッド部１００Ａおよび測定対象個所ＳＰ間の距離Ｑが適正であるかを容易に知ることができる。
【０１６９】
さらに、図１６（ｃ）に示すように、測定箇所ＳＰの中心でレーザ光Ｌ１およびレーザ光Ｌ２が交差するようにレーザダイオード６０およびレーザダイオード７０の出射角度を設定するとともに、レーザ光Ｌ１，Ｌ２を所定の広がり角で出射させる。この場合、使用者はヘッド部１００Ａおよび測定対象個所ＳＰ間の距離Ｑが適正であるかを容易に知ることができるとともに、測定箇所ＳＰの範囲を容易に知ることができる。
【０１７０】
図１６（ｄ）に示すように、測定箇所ＳＰの中心でリング状のレーザ光Ｌ１およびレーザ光Ｌ２が交差するようにレーザダイオード６０およびレーザダイオード７０の出射角度を設定するとともに、レーザ光Ｌ１，Ｌ２を所定の広がり角で出射させる。この場合においても、使用者はヘッド部１００Ａおよび測定対象個所ＳＰ間の距離Ｑが適正であるかを容易に知ることができるとともに、測定箇所ＳＰの範囲を容易に知ることができる。なお、測定箇所ＳＰの指示方法は、図１６（ａ）、（ｂ）、（ｃ）、（ｄ）の例に特に限定されない。
【産業上の利用可能性】
【０１７１】
本発明は、物体から放射される赤外線エネルギーを検出することに利用可能である。
【図面の簡単な説明】
【０１７２】
【図１】第１の一実施の形態に係る放射温度計のブロック図である。
【図２】図１のヘッド部のブロック図である。
【図３】図１の本体部のブロック図である。
【図４】第１の実施の形態に係る放射温度計の一適用例を説明するための図である。
【図５】第１の実施の形態に係る放射温度計の他の適用例を説明するための図である。
【図６】第１の実施の形態に係る放射温度計のヘッド部の動作を説明するためのフローチャートである。
【図７】第１の実施の形態に係る放射温度計の本体部の動作を説明するためのフローチャートである。
【図８】第２の実施の形態に係る放射温度計の一適用例を説明するための図である。
【図９】第２の実施の形態に係る放射温度計の本体部の動作を説明するためのフローチャートである。
【図１０】第３の実施の形態に係る放射温度計の一適用例を説明するための図である。
【図１１】第３の実施の形態に係る放射温度計のヘッド部の動作を説明するためのフローチャートである。
【図１２】第３の実施の形態に係る放射温度計の本体部の動作を説明するためのフローチャートである。
【図１３】第４の実施の形態に係る放射温度計の一適用例を説明するための図である。
【図１４】第４の実施の形態に係る放射温度計のヘッド部の動作を説明するためのフローチャートである。
【図１５】第４の実施の形態に係る放射温度計の本体部の動作を説明するためのフローチャートである。
【図１６】図２のレーザダイオードによる測定箇所の指示形態を示す図である。
【符号の説明】
【０１７３】
１０  サーモパイル
１１  赤外線受光部
３４，９３  ＣＰＵ
３６  表示灯
６０，７０  レーザダイオード
９７  外部出力回路
９８  アナログ出力回路
１００  放射温度計
１００Ａ  ヘッド部
１００Ｂ  本体部
【図１】
2006226781.tif 000003
【図２】
2006226781.tif 000004
【図３】
2006226781.tif 000005
【図４】
2006226781.tif 000006
【図５】
2006226781.tif 000007
【図６】
2006226781.tif 000008
【図７】
2006226781.tif 000009
【図８】
2006226781.tif 000010
【図９】
2006226781.tif 000011
【図１０】
2006226781.tif 000012
【図１１】
2006226781.tif 000013
【図１２】
2006226781.tif 000014
【図１３】
2006226781.tif 000015
【図１４】
2006226781.tif 000016
【図１５】
2006226781.tif 000017
【図１６】
2006226781.tif 000018